(57)【特許請求の範囲】
【請求項１】
容器本体の口部にロールオン式の塗布具を装着してなるロールオン容器であって、
前記塗布具が、塗布ボールと、
前記容器本体の前記口部に装着されるベース部材と、
前記ベース部材に被さって保持されるとともに前記塗布ボールを保持する保持部材と、を備え、
前記保持部材は、前記塗布ボールに沿って延在して該塗布ボールを転動自在に抱持する抱持壁と、前記ベース部材に保持されるとともに前記抱持壁を支持する支持部とを有し、
前記ベース部材は、前記抱持壁に沿って延在し、底部に前記容器本体の内部とつながる連通孔を形成するドーム壁を有し、
前記支持部と前記抱持壁との間に、該抱持壁を前記ドーム壁から離間させる方向に付勢して該抱持壁及び該ドーム壁の相互間に定量室を形成するベンド壁を一体に設け、
前記抱持壁に前記定量室内の内容液を前記塗布ボールの表面に流出させる注出孔を形成するとともに、前記ベンド壁による付勢力に抗した前記塗布ボールの押し込みより前記連通孔内に挿入されて該連通孔を閉塞する弁体を一体に設けたことを特徴とするロールオン容器。
【請求項２】
前記弁体は、前記塗布ボールの押し込み時に前記連通孔の内面との間にシールを形成する基部と、この基部から該連通孔に対して隙間を空けて延びて該弁体の移動を案内するガイド部とからなる、請求項１に記載のロールオン容器。
【請求項３】
前記注出孔を、相互に対向する位置に２箇所以上設けてなる、請求項１又は２に記載のロールオン容器。
【発明の詳細な説明】
【技術分野】
【０００１】
本発明は、塗布ボールを有するロールオン式の塗布具を容器本体の口部に装着してなるロールオン容器に関し、特に、一定量の内容液を塗布できるようにする技術に関するものである。
【背景技術】
【０００２】
従来、ロールオン容器として、例えば特許文献１に記載されるように、塗布ボールと、該塗布ボールを回転自在に保持する中栓とを有し、容器を逆さにした状態で塗布ボールを塗布面に押し当てながら転動させることによって、塗布ボールに付着した内容液を塗布面に転写させて塗布するようにしたものが知られている。
【０００３】
ところで、特許文献１に記載のものは、塗布ボールの転動に応じて容器内の内容液が吐出されるものであるから、塗布ボールを長く転動させればその分、多くの内容液が吐出される結果となり、また、内容液の粘性が低い場合には必要以上の内容液が流出することがあり、塗布量の調整を行うことは困難である。
【０００４】
一方、特許文献２には、塗布量の調整を可能とすべく、液体通孔を設けた中底を有するとともに球体保持筒内に塗布用球体を保持させた球体保持栓において、中底と塗布用球体との間に液体通孔を開閉する弁体を設けるとともに、弁体と中底との間に含水物質を挿設し、使用時には含水物質を圧搾して、該圧搾による吐出液体を塗布用球体を介して塗布するようにした球体保持栓が提案されている。
【先行技術文献】
【特許文献】
【０００５】
【特許文献１】実用新案登録第３１２９９６１号公報
【特許文献２】実公昭４９−３４４４３号公報
【発明の概要】
【発明が解決しようとする課題】
【０００６】
しかしながら、上記特許文献２に記載のものは、例えば長期使用に伴い含水物質にへたりが生じた場合には、含水物質による含水量が減少する結果、吐出される液体が減少するという問題がある。また、含水物質を位置決めした上で弁体と中底との間に挿設しなければならず、組立て作業が煩雑になるという問題がある。
【０００７】
それゆえ、本発明は、常に一定量の内容液を塗布することができるとともに、その組立てが容易なロールオン容器を提案することを目的とする。
【課題を解決するための手段】
【０００８】
本発明は、上記課題を解決するためになされたものであり、本発明のロールオン容器は、容器本体の口部にロールオン式の塗布具を装着してなるものであって、前記塗布具が、塗布ボールと、前記容器本体の前記口部に装着されるベース部材と、前記ベース部材に被さって保持されるとともに前記塗布ボールを保持する保持部材と、を備え、前記保持部材は、前記塗布ボールに沿って延在して該塗布ボールを転動自在に抱持する抱持壁と、前記ベース部材に保持されるとともに前記抱持壁を支持する支持部とを有し、前記ベース部材は、前記抱持壁に沿って延在し、底部に前記容器本体の内部とつながる連通孔を形成するドーム壁を有し、前記支持部と前記抱持壁との間に、該抱持壁を前記ドーム壁から離間させる方向に付勢して該抱持壁及び該ドーム壁の相互間に定量室を形成するベンド壁を一体に設け、前記抱持壁に前記定量室内の内容液を前記塗布ボールの表面に流出させる注出孔を形成するとともに、前記ベンド壁による付勢力に抗した前記塗布ボールの押し込みより前記連通孔内に挿入されて該連通孔を閉塞する弁体を一体に設けたことを特徴とするものである。
【０００９】
なお、本発明のロールオン容器にあっては、前記弁体は、前記塗布ボールの押し込み時に前記連通孔の内面との間にシールを形成する基部と、この基部から該連通孔に対して隙間を空けて延びて該弁体の移動を案内するガイド部とからなることが好ましい。
【００１０】
また、本発明のロールオン容器にあっては、前記注出孔を、相互に対向する位置に２箇所以上設けてなることが好ましい。
【発明の効果】
【００１１】
本発明によれば、保持部材とベース部材との間に定量室が形成されるようにしたので、一定量の内容液を塗布することができ、しかも、この定量室はベンド壁の付勢力をもって抱持壁をドーム壁から離間させることで出現するものであって、その付勢力は常に一定であることから定量室内の容量も一定となり、常に一定量の内容液の塗布が可能となる。また、抱持壁を可動させるベンド壁は該抱持壁及び支持部と一体に形成されていることから、上記特許文献２の含水物質の組付け時に必要であった位置決め作業を不要として容易に組み付けを行うことが可能であるとともに部品点数を削減することもできる。
【００１２】
また、弁体を、塗布ボールの押し込み時に連通孔内に嵌り込む基部と、この基部から該連通孔に対して隙間を空けて延びて該弁体の移動を案内するガイド部とから構成した場合には、塗布ボールを塗布面に押し付けた際に、ガイド部によって弁体をドーム壁の連通孔内に確実に挿入することができて、より一層確実に一定量の内容液を注出して塗布することが可能となる。
【００１３】
さらに、注出孔を相互に対向する２箇所以上に設けた場合には、定量室内から注出された内容液を塗布ボールに均一に付着させることができて、塗布ボールによる内容液の塗布をムラなく行うことが可能となる。
【図面の簡単な説明】
【００１４】
【図１】本発明に従う一実施形態のロールオン容器の、軸線に沿った部分断面図である。
【図２】図１のロールオン容器を、キャップを外した状態で示した断面図である。
【図３】図１のロールオン容器の使用態様を説明する図であり、（ａ）はロールオン容器を逆さにした状態を示し、（ｂ）はロールオン容器の塗布ボールを塗布面に接触させた状態を示し、（ｃ）はロールオン容器の塗布ボールを所定の圧力下で塗布面に押し付けた状態を示している。
【発明を実施するための形態】
【００１５】
以下、本発明の実施の形態を図面を参照して詳細に説明する。ここに図中、符号１は、本発明に従う一実施形態のロールオン容器であり、符号３は、胴部３ａと該胴部３ａの下端を閉塞する底部（図示省略）と胴部３ａの上部に設けられた口部３ｂとからなり、内側に内容液の収納空間を形成する容器本体であり、符号５は、該容器本体３の口部３ｂに装着されるロールオン式の塗布具であり、符号７は、容器本体３の口部３ｂに装着されるキャップである。なお、以下の説明において、上下方向に関する記載（例えば、「上」、「下」、「底」）は、全て、ロールオン容器を水平な面に載置したときの状態を基準する。
【００１６】
本実施形態のロールオン容器１は、容器本体３の口部３ｂに塗布具５を装着してなるものであって、図１及び図２に示すように、塗布具５は、概して、球形の塗布ボール９と、容器本体３の口部３ｂに装着されるベース部材１１と、このベース部材１１に被さって保持されるとともに塗布ボール９を保持する保持部材１３と、を備えている。
【００１７】
ベース部材１１は、容器本体３の口部３ｂの突端の外周に形成された膨出環１５にアンダーカット係合する装着筒１７と、該装着筒１７の上端から上記口部３ｂの突端に沿って内側に延びる天面壁１９と、天面壁１９の内側に下方に向けて垂設されて口部３ｂの内周面に嵌り込むシールリング２１と、天面壁１９の内側に連設され、後述の抱持壁２３に沿って延在するドーム壁２５とからなる。ドーム壁２５の底部（中央）には、容器本体３の内部につながる連通孔２７が形成され、上端部の外周には、後述の嵌合筒２９を嵌合、保持する環状リブ２５ａが形成されている。
【００１８】
保持部材１３は、塗布ボール９に沿って延在して該塗布ボール９を転動自在に抱持する上記抱持壁２３と、ベース部材１１のドーム壁２５の上端部外周を取り囲み該上端部（詳細には上記環状リブ２５ａ）に凸部２９ａを介して嵌合、保持される嵌合筒２９および該嵌合筒２９の内側に連設されるとともにドーム壁２５の上端縁に向けて環状突起３１ａを垂設する支持壁３１からなる支持部３３とを有する。
【００１９】
そして、支持部３３と抱持壁２３との間、より詳細には支持壁３１と抱持壁２３との間には、撓み変形可能に抱持壁２３を塗布ボール９とともに上方（ドーム壁２５から離間させる方向）に付勢して該抱持壁２３及び該ドーム壁２５の相互間に一定量の内容液を収容可能な定量室Ｒ（図２参照）を形成するベンド壁３５が一体に設けられている。つまり、ベンド壁３５は、塗布ボール９を押し込まない状態（図２の状態）では、抱持壁２３をドーム壁２５から離間させて抱持壁２３及びドーム壁２５の相互間に定量室Ｒを形成する一方、塗布ボール９が押し込まれた状態（図１の状態）では撓み変形して抱持壁２３をドーム壁２５に対する近接方向に変位させるものである。
【００２０】
さらに、この塗布具５においては、抱持壁２３には上記定量室Ｒ内の内容液を塗布ボール９の表面に流出させる少なくとも一つ（ここでは対向位置に形成された２つ）の注出孔３７，３８が形成されている。なお、抱持壁２３に形成する注出孔は３つ以上としてもよく、この場合、注出孔は抱持壁２３の周方向に等間隔で配置することが好ましい。
【００２１】
また、抱持壁２３には、ベンド壁３５の付勢力に抗して塗布ボール９が押し込まれた際（抱持壁２３が、ドーム壁２５に対する近接方向への変位した際）に連通孔２７内に挿入されて該連通孔２７を閉塞する筒状の弁体４０が一体に設けられている。この例では、弁体４０は、上述した塗布ボール９の押し込み時に連通孔２７の内面と面接触して該内面との間にシールを形成する基部４０ａと、この基部４０ａから先端に向けて該連通孔２７に対して隙間を空けて延びて該弁体４０の移動を案内するガイド部４０ｂとからなる。
【００２２】
キャップ７は、図１に示すように、頂壁４２と側周壁４４とを有しており、頂壁４２の下面には、キャップ７を締めたときに塗布ボール９の上部を押圧する押えリング４２ａが設けられ、側周壁４４の下部内周には、口部３ｂの外周に形成されたねじ３ｂ１に羅合するねじ４４ａが形成されている。
【００２３】
次に、塗布具５を備える本実施形態のロールオン容器１の作用について説明する。容器本体３内には、塗布物として、液体あるいはクリーム状の香水、化粧料、薬剤等が収容されており、塗布ボール９が嵌めこまれた保持部材１３をベース部材１１に装着して形成された塗布具５の装着筒１７を、容器本体３の口部３ｂに位置合わせして打栓により嵌着し、さらに、キャップ７を容器本体３の口部３ｂに装着することでキャップ７の押えリング４２ａにより塗布ボール９が押し込まれるとともにドーム壁２５の連通孔２７が弁体４０によって閉塞されて、容器本体３の内部が密封されたロールオン容器１が形成される。
【００２４】
使用にあたって、図２に示すようにキャップ７を容器本体３の口部３ｂから外すと、ベンド壁３５の付勢力によって抱持壁２３が上方へ押し上げられ抱持壁２３とドーム壁２５との間に定量室Ｒが出現する。この状態で、図３（ａ）に示すように、ロールオン容器１を傾けるあるいは倒立させると、定量室Ｒ内に連通孔２７と弁体４０のガイド部４０ｂとの間の隙間を通って容器本体３内の内容液が流入し、定量室Ｒ内は一定量の内容液で満たされる。なお、このとき、塗布ボール９と抱持壁２３との間は、該抱持壁２３の先端位置Ｐにてシールされるため、定量室Ｒ内の内容液が外部に漏れ出ることはない。
【００２５】
この状態から、図３（ｂ）に示すように、塗布ボール９を塗布面に接触させると抱持壁２３及び塗布ボール９間の上記シールが解除され、さらに図３（ｃ）に示すように塗布ボール９を塗布面に所定の圧力下で押し付けると、ベンド壁３５の付勢力に抗して抱持壁２３がドーム壁２５に対する近接方向に変位するのに伴って、弁体４０の基部４０ａがドーム壁２５に形成された連通孔２７に挿入されて連通孔２７が閉塞され、内容液の塗布量が確定される。そして、塗布ボール９を塗布面に押し付けたままロールオン容器１を動かすと塗布ボール９が回転して、注出孔３７，３８を通じて定量室Ｒ内の内容液が塗布ボール９の表面に付着し、塗布ボール９の表面に付着した内容液は塗布面に塗布されることになる。
【００２６】
したがって、本実施形態のロールオン容器１によれば、保持部材１３とベース部材１１との間に定量室Ｒが形成されるようにしたので、一定量の内容液を塗布することができ、しかも、この定量室Ｒはベンド壁３５の付勢力をもって抱持壁２３をドーム壁２５から離間させることで出現するものであって、その付勢力は常に一定であることから定量室Ｒ内の容量も一定となり、常に一定量の内容液の塗布が可能となる。また、抱持壁２３を可動させるベンド壁３５は該抱持壁２３及び支持部３３と一体に形成されていることから、上記特許文献２の含水物質の組付け時に必要であった位置決め作業を不要として容易に組み付けを行うことが可能であるとともに部品点数を削減することもできる。
【００２７】
また、本実施形態では、弁体４０を、塗布ボール９の押し込み時に連通孔２７の内面との間にシールを形成する基部４０ａと、この基部４０ａから該連通孔２７に対して隙間を空けて延びて該弁体４０の移動を案内するガイド部４０ｂとから構成したことから、このガイド部４０ｂによって、塗布ボール９の押し込み時に弁体４０をドーム壁２５の連通孔２７内に確実に挿入することができるので、すなわち、弁体４０による連通孔２７の不確実、不安定な遮断に起因して必要以上の内容液が定量室Ｒ内に流入するのを防止することができるので、より一層確実に一定量の内容液を注出して塗布することが可能となる。
【００２８】
さらに、本実施形態では、注出孔３７，３８を相互に対向する２箇所に設けたことから、定量室Ｒ内から注出された内容液を塗布ボール９に均一に付着させることができて、塗布ボール９による内容液の塗布をムラなく行うことが可能となる。
【００２９】
しかも、本実施形態では、支持壁３１の下面にドーム壁２５の上端縁に押圧される環状突起３１ａを設けたことから、この環状突起３１ａにより定量室Ｒを密封することができ、特に、この環状突起３１ａは塗布ボール９を塗布面に押し付けた際にベンド壁３５の撓み変形に伴って上記上端縁により強く押し付けられることになって、塗布時の定量室Ｒの密封をより確実なものとすることできる。
【産業上の利用可能性】
【００３０】
かくして、本発明により、常に一定量の内容液を塗布することができるとともに、その組立てが容易なロールオン容器を提案することが可能となった。
【符号の説明】
【００３１】
１  ロールオン容器
３  容器本体
３ｂ  口部
５  塗布具
７  キャップ
９  塗布ボール
１１  ベース部材
１３  保持部材
２３  抱持壁
２５  ドーム壁
２７  連通孔
３３  支持部
３５  ベンド壁
３７，３８  注出孔
４０  弁体
４０ａ  基部
４０ｂ  ガイド部
【図１】
0005595971.tif 000002
【図２】
0005595971.tif 000003
【図３】
0005595971.tif 000004